(57)【特許請求の範囲】
【請求項１】
化石燃料を焚くボイラと、該ボイラで生成した蒸気で駆動する蒸気タービンと、該蒸気
タービンを駆動した蒸気を復水する復水器と、前記ボイラの排ガスから二酸化炭素を分離
して回収する二酸化炭素分離回収装置と、太陽熱を集熱して蒸気を生成し、該蒸気を前記
二酸化炭素分離回収装置のリボイラに供給する太陽熱集熱装置とを有する二酸化炭素分離
回収装置を備えた火力発電システムであって、
前記太陽熱集熱装置の蒸気生成量が前記リボイラが要求する蒸気量より低下した場合に
前記蒸気タービンから抽気した抽気蒸気を前記リボイラに供給し、前記リボイラでドレン
化したドレンの一部を前記復水器に回収するとともに、前記太陽熱集熱装置の蒸気生成量
が前記リボイラが要求する蒸気量より過剰な場合に余剰となった蒸気を前記リボイラをバ
イパスして前記復水器に回収するように構成したことを特徴とする二酸化炭素分離回収装
置を備えた火力発電システム。
【請求項２】
請求項１記載の二酸化炭素分離回収装置を備えた火力発電システムにおいて、
前記抽気蒸気の圧力が予め定めた値以上に減少した場合に、前記抽気蒸気の送気蒸気量
を絞る流量調整弁を備えることを特徴とする二酸化炭素分離回収装置を備えた火力発電シ
ステム。
【請求項３】
請求項１または２のいずれか１項記載の二酸化炭素分離回収装置を備えた火力発電シス
テムにおいて、
前記二酸化炭素分離回収装置が緊急停止した場合に、前記太陽熱集熱装置で生成した蒸
気を復水器に逃す蒸気系統を備えることを特徴とする二酸化炭素分離回収装置を備えた火
力発電システム。
【請求項４】
請求項１記載の二酸化炭素分離回収装置を備えた火力発電システムにおいて、
前記蒸気タービンから抽気した抽気蒸気と前記太陽熱集熱装置で生成した蒸気とを混合
させて前記リボイラに供給する蒸気系統を備えることを特徴とする二酸化炭素分離回収装
置を備えた火力発電システム。
【請求項５】
化石燃料を焚くボイラと、該ボイラで生成した蒸気で駆動する蒸気タービンと、該蒸気タービンを駆動した蒸気を復水する復水器と、前記ボイラの排ガスから二酸化炭素を分離して回収する二酸化炭素分離回収装置と、太陽熱を集熱して蒸気を生成し前記二酸化炭素分離回収装置のリボイラに供給する太陽熱集熱装置とを有する二酸化炭素分離回収装置を備えた火力発電システムであって、
前記太陽熱集熱装置で生成した蒸気を前記リボイラに供給する第１の蒸気系統と、該第１の蒸気系統を流下する蒸気量を計測する計測手段と、前記蒸気タービンから抽気した抽気蒸気の少なくとも一部を前記第１の蒸気系統に導いて合流させる第２の蒸気系統と、該第２の蒸気系統に設けられ、該第２の蒸気系統を流下する抽気蒸気の蒸気量を調節する流量調節弁と、前記第１の蒸気系統を流下する蒸気の一部を前記復水器に送気する第３の蒸気系統と、該第３の蒸気系統に設けられ第３の蒸気系統を流下する蒸気の流通／遮断を開／閉することで切り替える第１の開閉弁と、前記リボイラでドレン化したドレンを前記太陽熱集熱装置に供給する第１の送水系統と、該第１の送水系統を流下するドレンの一部を前記復水器に送水する第２の送水系統と、該第２の送水系統に設けられ該第２の送水系統を流下するドレンの流通／遮断を開／閉することで切り替える第２の開閉弁と、前記計測手段で計測した蒸気量が、前記リボイラが要求する蒸気量より低下した場合に前記流量調節弁を開弁制御しつつ前記第２の開閉弁を開き、前記計測手段で計測した蒸気量が、前記リボイラが要求する蒸気量より過剰である場合に前記第１の開閉弁を開く制御手段とを備えることを特徴とする二酸化炭素分離回収装置を備えた火力発電システム。
【請求項６】
請求項５記載の二酸化炭素分離回収装置を備えた火力発電システムにおいて、
前記第２の蒸気系統を流下する抽気蒸気の圧力が、予め定めた値以上に減少した場合に、前記流量調節弁の開度を絞る制御手段を備えることを特徴とする二酸化炭素分離回収装置を備えた火力発電システム。
【請求項７】
請求項５または６のいずれか１項記載の二酸化炭素分離回収装置を備えた火力発電システムにおいて、
前記二酸化炭素分離回収装置が緊急停止した場合に、前記第３の蒸気系統に設けられた前記第１の開閉弁を開く制御手段を備えることを特徴とする二酸化炭素分離回収装置を備えた火力発電システム。
【発明の詳細な説明】
【技術分野】
【０００１】
本発明は、火力発電システム、特に二酸化炭素分離回収装置と太陽熱集熱装置とを備えた化石燃料焚き火力発電システムに関する。
【背景技術】
【０００２】
二酸化炭素分離回収装置を備えた化石燃料焚き火力発電システムとしては、高圧，中圧，低圧タービンを有し、化石燃料、例えば石炭焚ボイラで生成した蒸気で駆動する蒸気タービン設備と、二酸化炭素吸収液を用いてボイラの燃焼排ガスから二酸化炭素を吸収除去する吸収塔，吸収塔で二酸化炭素を吸収した二酸化炭素吸収液を再生するための再生塔，再生塔で除去された二酸化炭素を圧縮するコンプレッサ、およびタービンの排出蒸気の一部を再生塔のリボイラに加熱源として供給するための供給管を有し、ボイラの燃焼排ガスから二酸化炭素を分離回収する二酸化炭素分離回収装置（ＰＣＣ：Post Combustion CO2 Capture）とを備えたものがある（特許文献１参照）。
【０００３】
特許文献１に示されたような二酸化炭素分離回収装置では、吸収液循環ポンプを駆動して吸収液を吸収塔と再生塔との間で循環させ、吸収塔にてボイラ排ガスに含まれた二酸化炭素を吸収液に吸収させ、再生塔でこの吸収液に吸収した二酸化炭素を分離して回収している。  
即ち、ボイラ排ガス中の二酸化炭素成分と吸収液を吸収塔内で接触させることで、約４０℃程度の吸収液がガス中の二酸化炭素との化学反応（発熱反応）により二酸化炭素を吸収する。この時の吸収液と二酸化炭素との化学反応により約７０℃程度まで温度上昇した、二酸化炭素に富んだリッチ吸収液は、吸収塔を出た後で、再生塔から供給される再生された約１２０℃の吸収液（リーン吸収液と呼ぶ）と熱交換を行い、約１１０℃程度に加熱されて再生塔に流入する。熱交換後のリッチ吸収液は、再生塔でさらに１２０℃〜１３０℃程度に加熱されてリッチ吸収液に吸収した二酸化炭素を分離する。再生塔で二酸化炭素を分離した吸収液はリーン吸収液となって再び吸収塔に導入されてボイラ排ガス中の二酸化炭素を吸収する。この際、再生塔内の吸収液を二酸化炭素を分離させてリーン吸収液となるように加熱するために、加熱源としてリボイラから再生塔に蒸気を供給しているが、リボイラは多量の蒸気を発生させる必要がある。リボイラで多量の蒸気を発生させるためにはリボイラへ多量の蒸気をタービン抽気系統またはタービン排気系統から送気する必要がある。しかしながら、抽気系統から送気する分蒸気タービンの出力が低下し、タービン効率の低下に繋がってしまう。
【０００４】
そこで他の従来技術として、太陽フィールドから太陽熱にて加温された高温の熱媒体を取り出し、リボイラへ供給する方案が提案されている（特許文献２参照）。
【先行技術文献】
【特許文献】
【０００５】
【特許文献１】特許第４２７４８４６号公報
【特許文献２】特表２００９−５４３７５１号公報
【発明の概要】
【発明が解決しようとする課題】
【０００６】
従来技術のような、太陽フィールドから太陽熱にて加温された高温の熱媒体を取り出し、再生塔用のリボイラへ供給する方案では、太陽熱を利用するため、太陽の日射量がその日の気象状況により変動し、太陽熱を回収する熱媒体が連続的に温度変化を生じる課題がある。また、夜間も発電と同時に二酸化炭素分離回収装置を運転する場合、太陽熱エネルギーに代わる熱エネルギーを二酸化炭素分離回収装置の再生塔のリボイラに送る課題が生じる。
【０００７】
曇り時，雨天時、または、夜間時に太陽熱集熱装置からリボイラへ供給する熱媒体である加温蒸気の量が変動し、この蒸気量が変動した影響でリボイラ発生蒸気の温度，圧力が変動すると、再生塔内で吸収液から二酸化炭素ガスを分離する効率が変動する。
【０００８】
そこで、本発明の目的は、蒸気タービンの出力や効率の低下を抑制可能であるとともに、太陽熱集熱装置からリボイラへ供給する加温蒸気量の変動に係らず、リボイラ発生蒸気温度と圧力の変動を最小限に押さえ込むことが可能で、再生塔内での吸収液から二酸化炭素を加温して分離する反応が安定して進む二酸化炭素分離回収装置を備えた火力発電システムを提供することを目的とする。
【課題を解決するための手段】
【０００９】
上記課題を解決するため、本発明は、化石燃料を焚くボイラと、該ボイラで生成した蒸気で駆動する蒸気タービンと、該蒸気タービンを駆動した蒸気を復水する復水器と、ボイラの排ガスから二酸化炭素を分離して回収する二酸化炭素分離回収装置と、太陽熱を集熱して蒸気を生成し二酸化炭素分離回収装置のリボイラに供給する太陽熱集熱装置とを有する二酸化炭素分離回収装置を備えた火力発電システムにおいて、太陽熱集熱装置の蒸気生成量がリボイラが要求する蒸気量より低下した場合に蒸気タービンから抽気した抽気蒸気をリボイラに供給し、リボイラでドレン化したドレンの一部を復水器に回収するとともに、太陽熱集熱装置の蒸気生成量がリボイラが要求する蒸気量より過剰な場合に余剰となった蒸気を復水器に回収するように構成したことを特徴とする。
【発明の効果】
【００１０】
本発明によれば、エネルギーコストが小さい太陽熱エネルギーを活用できるので、蒸気タービンから二酸化炭素分離回収装置が有する再生塔のリボイラへ送気する抽気蒸気の量を低減でき、蒸気タービンの出力や効率の低下を抑制することができる。
【００１１】
また、太陽熱集熱装置からリボイラへ供給する加温蒸気量の変動に係らず、リボイラ発生蒸気温度と圧力の変動を最小限に押さえ込むことが可能で、再生塔内での吸収液から二酸化炭素を加温して分離する反応が安定して進む二酸化炭素分離回収装置を備えた火力発電システムを提供することができる。
【図面の簡単な説明】
【００１２】
【図１】本発明の実施例に係る二酸化炭素分離回収装置を備えた火力発電システムのシステム系統の説明図である。
【図２】図１に示した、本発明の実施例に係る二酸化炭素分離回収装置を備えた火力発電システムの基本制御計画を説明した制御系統の説明図である。
【発明を実施するための形態】
【００１３】
本発明の実施例である太陽熱エネルギーを用いた二酸化炭素分離回収装置を備えた火力発電システムについて図を用いて以下に説明する。なお、各図面を通し、同等の構成要素には同一の符号を付してある。
【実施例１】
【００１４】
本発明の実施例として、本発明を火力発電の一形態である汽力発電所に適用した例を以下に説明する。また、ここでは水を太陽熱エネルギー回収の熱媒体とする。
【００１５】
図１は、本実施例に係る二酸化炭素分離回収装置を備えた火力発電システムのシステム系統を説明した説明図である。本実施例の汽力発電システム１００を図１に示す。汽力発電システム１００は、化石燃料を焚いて蒸気を生成するボイラ１と、ボイラ１で生成した蒸気で回転駆動する蒸気タービン２と、蒸気タービン２の回転力を電力に変換する発電機１７と、蒸気タービン２を回転駆動した蒸気を凝縮して復水する復水器３と、復水器３で復水化した給水をボイラ１に送るボイラ給水ポンプ４とを備える。ボイラ１の排ガスは、脱硝装置８と脱流装置９を通過して二酸化炭素分離回収装置２００の吸収塔２０に流入する。  
吸収塔２０内にて、ボイラ排ガスに含まれた二酸化炭素ガスが二酸化炭素吸収液に吸収される。ボイラ排ガスから二酸化炭素ガスを吸収して二酸化炭素を多く含んだリッチ吸収液は、吸収液の供給経路に設けたリッチ吸収液循環ポンプ２２に送られて昇圧された後、同じく吸収液の供給経路に設けたリッチ対リーン吸収液熱交換器２３で加熱され、その後再生塔２１に送られる。
【００１６】
吸収塔２０から再生塔２１に送られたリッチ吸収液は、再生塔吸収液抜き出し管２８を流下してリボイラ２６で加温され、水蒸気が生成される。リボイラ２６で生成した水蒸気をリボイラ吸収液蒸発管２９を通過して再生塔２１に供給する。この水蒸気によってリッチ吸収液は加熱されて、前記再生塔２１の内部にて、吸収した二酸化炭素ガスを分離する。なお、吸収液が劣化したときは、リクレーマ蒸気供給制御弁３１を開放し、加温蒸気をリクレーマ２７に供給して吸収液を加温し、吸収液中の不純物を系外にブローする。
【００１７】
前記再生塔２１での吸収液の加熱によって二酸化炭素を分離した吸収液は、再生塔２１から吸収液を吸収塔２０に戻す吸収液の戻し経路に設けたリーン吸収液循環ポンプ２４によって昇圧され、同じく吸収液の戻し経路に設けたリーン吸収液冷却器２５に供給されてリーン吸収液冷却器２５で冷却された後に吸収塔２０に戻される。このように、吸収液が吸収塔２０と再生塔２１との間を循環するようになっている。
【００１８】
次に、リボイラ２６へ加熱源である蒸気を供給する構成について説明する。本実施例の二酸化炭素分離回収装置を備えた火力発電システムは、リボイラ２６の第１の加熱源供給元として太陽熱集熱装置３００を備える。太陽熱集熱装置３００は、太陽熱集熱鏡６０と、太陽熱集熱伝熱管５４とを備える太陽熱集熱装置本体５９を有する。太陽熱集熱装置本体５９の形式としては、太陽熱集熱鏡６０の型式によりトラフ式，タワー式，フレネル式等数種類あるが、本実施例ではどの型式の太陽熱集熱鏡にも対応できる。図１の例はフレネル型をモデル化している。
【００１９】
図１では４系統の太陽熱集熱伝熱管５４が示されている。太陽熱集熱伝熱管５４にて熱媒体である水は加熱されて蒸気となり、太陽熱集熱装置出口ヘッダー５５に一旦集められる。その後、蒸気は、太陽熱集熱装置出口管５６を流下して太陽熱集熱装置出口弁５７に向かう。太陽熱集熱装置出口弁５７の下流側には太陽熱集熱装置側配管５８が接続しており、この太陽熱集熱装置側配管５８は、後述する蒸気タービン抽気側配管６１と合流する。この両者の蒸気管は合流してリボイラ加熱蒸気母管６２となりリボイラ２６およびリクレーマ２７に接続しており、リボイラ２６およびリクレーマ２７に加熱蒸気を供給する。
【００２０】
次に、本実施例の二酸化炭素分離回収装置を備えた火力発電システムでは、リボイラ２６の第２の加熱源供給元として、蒸気タービン２の蒸気タービン抽気配管１０から抽気された抽気蒸気が用いられる。蒸気タービン２の蒸気タービン抽気配管１０は、蒸気タービンの給水系統に設けられた給水加熱器１１に接続しているが、その途中から蒸気タービン側リボイラ送気配管３５に分岐している。蒸気タービン２から抽気された抽気蒸気の一部は、蒸気タービン抽気配管１０から蒸気タービン側リボイラ送気配管３５を流下して、蒸気タービン側リボイラ送気配管逆止弁３６と、蒸気タービン側リボイラ送気流量調整弁３７と、蒸気タービン側リボイラ送気止弁３８とを通過し、蒸気タービン抽気側配管６１を流下して、太陽熱集熱装置側配管５８を流下する蒸気と合流する。
【００２１】
上記構成によれば、太陽熱集熱装置３００で生成され太陽熱集熱装置側配管５８を流下した蒸気、及び蒸気タービン２から抽気され蒸気タービン抽気側配管６１を流下してきた抽気蒸気のどちらか、または両方をリボイラ２６とリクレーマ２７の蒸気熱熱源として供給できる。晴天時，太陽熱集熱装置３００からの蒸気発生量がリボイラ２６に必要十分な蒸気量が確保される場合はタービン抽気蒸気でなく、太陽熱集熱装置側配管５８を流下して来る蒸気を活用した方が、ボイラ１の発生蒸気量を減らすことができ燃料消費量が減りボイラ１の二酸化炭素発生量が大幅に減少する。しかし、曇り時，雨天時、または、夜間時に太陽熱集熱装置側配管５８を流下して来る蒸気量が減少または停止した場合は蒸気タービン抽気蒸気をリボイラ２６へ送気し二酸化炭素分離回収装置２００の運転が継続できる。
【００２２】
本実施例の二酸化炭素分離回収装置を備えた火力発電システムは、太陽熱集熱装置３００で生成した蒸気とともに、蒸気タービン抽気側配管６１を流下してくる蒸気タービン２から抽気した蒸気を用いて、再生塔２１から再生塔吸収液抜き出し管２８を通じて抜き出された吸収液をリボイラ２６で間接的に加熱して所望の温度，圧力の正常な蒸気を発生させ、この発生蒸気をリボイラ吸収液蒸発管２９を通じて再生塔２１に供給できるように構成されている。
【００２３】
リボイラ２６及びリクレーマ２７の上流側となるリボイラ加熱蒸気母管６２は、リボイラ蒸気供給系統４１とリクレーマ蒸気供給系統４２と太陽熱回収余剰蒸気逃がし系統４３の３方向に分岐している。太陽熱回収余剰蒸気逃がし系統４３は、復水器３へ接続しており、太陽熱集熱装置３００で生成された蒸気のうち、リボイラ２６の要求する蒸気量を超えた余剰蒸気を太陽熱回収余剰蒸気逃がし系統４３を介して復水器３に逃す。
【００２４】
また、太陽回収余剰蒸気逃し系統４３は、二酸化炭素分離吸収装置２００が何らかの原因でトリップ、緊急停止した場合に、太陽熱回収余剰蒸気逃がし弁３９を開いて余剰となった太陽熱集熱装置３００からの抽気蒸気を緊急避難的に復水器３に逃す際にも用いられ、これにより太陽熱集熱装置３００の迅速な冷却化と運転停止を図ることができる。
【００２５】
リボイラ２６の下流側にはリボイラ２６にて飽和蒸気から飽和ドレンに冷却されドレン化したドレンがリボイラドレン配菅６３の中を流れドレンタンク６５に導入される。同様に、間歇的に運転されるリクレーマ２７の中で飽和蒸気から飽和ドレンに冷却されドレン化したドレンがリクレーマドレン配菅６４の中を流れドレンタンク６５に導入される。ドレンタンク６５を出たドレンはドレンポンプ入口配管６６を通過してドレンポンプ３２にて昇圧され太陽熱集熱装置３００側に送水される。ドレンポンプ３２を出たドレンはドレンポンプ出口弁３３を通過して太陽熱集熱装置３００にある熱媒体タンク５０に集められる。さらに、この熱媒体は熱媒体循環ポンプ５１により昇圧され太陽熱集熱装置入口管５２にて太陽熱集熱装置入口ヘッダー５３へ送水される。この太陽熱集熱装置入口ヘッダー５３にて熱媒体を太陽熱集熱伝熱管５４の本数に対応して分流する。  
図２は、図１に示した本発明の実施例に係る二酸化炭素分離回収装置を備えた火力発電システムの基本制御計画の概略を説明した制御系統説明図である。
【００２６】
第１制御装置であるリボイラ発生蒸気制御装置１５は、リボイラで発生させる蒸気の圧力と温度とを制御する装置である。ボイラ加熱蒸気源切替制御装置１６は、リボイラ加熱蒸気の送気元の切り替え制御を行う装置である。太陽熱集熱装置３００にて発生した太陽熱による蒸気は、太陽熱集熱装置側配管５８を通過してリボイラ２６に流下する。リボイラ発生蒸気制御装置１５は、リボイラ吸収液蒸発管２９に設けられたリボイラ発生蒸気温度検出器１３とリボイラ発生蒸気圧力検出器１４を用いてリボイラ２６の発生蒸気の温度と圧力を監視している。このリボイラ発生蒸気制御装置１５は、発生蒸気の温度と圧力の予め定めた値に対して過不足が発生した場合、是正するため過不足量に応じてリボイラ蒸気供給系統４１に設けられたリボイラ蒸気供給制御弁３０の開閉制御信号を出力する。この動作により、太陽熱集熱装置３００からリボイラ２６への蒸気量の調節を制御する。さらに、太陽熱集熱装置３００からの蒸気量が過大となった場合は、太陽熱回収余剰蒸気逃がし系統４３に設けられた太陽熱回収余剰蒸気逃がし弁３９を開けて余分な蒸気量を復水器３に排出して回収する。リボイラ蒸気供給系統４１を通過した蒸気はリボイラ２６にてドレン化しリボイラドレン配菅６３を流下してドレンタンク６５に一旦貯留される。その後本ドレンはドレンポンプ３２にて太陽熱集熱装置３００に送られる。
【００２７】
太陽熱集熱装置３００にて発生した太陽熱による蒸気は、太陽熱集熱装置側配管５８，リボイラ加熱蒸気母管６２，リボイラ蒸気供給系統４１を通過してリボイラ２６に流下する。この時、太陽熱集熱装置側配管５８の途中に設置された太陽熱回収蒸気流量計１９にてその発生蒸気流量は常に計測されている。太陽が昼間から夜間に移行する時から夜間運転時、その発生蒸気量が二酸化炭素分離回収装置２００のリボイラ２６が要求する蒸気量に対し不足することが予想される。この時の対応策として、第２制御装置は、太陽熱集熱装置３００からの発生蒸気量が不足し始めたら、蒸気タービン抽気配管１０から分岐した蒸気タービン側リボイラ送気配管３５を通過してリボイラ２６へ送られるタービン抽気蒸気に蒸気源を切り替える制御を実施する制御装置である。すなわち。蒸気タービン抽気圧力検出器１２からの蒸気タービン抽気圧力を検出信号にて十分圧力があることを確認して、太陽熱集熱装置出口弁５７を閉め、蒸気タービン側リボイラ送気止弁３８を開ける。蒸気タービン送気蒸気流量は蒸気タービン送気蒸気流量計１８にて検出される。また、蒸気タービン抽気圧力が計画値以上に減少した場合、蒸気タービン側リボイラ送気流量調整弁３７にて送気蒸気量を絞りタービン抽気点圧力の計画値以上の異常な低下防止を図る。蒸気タービン２がトリップした場合リボイラ側から蒸気タービン側への蒸気の逆流を防止するために蒸気タービン側リボイラ送気配管逆止弁３６が蒸気タービン側リボイラ送気配管３５に設置されている。
【００２８】
ドレンポンプ３２出口の配管は、太陽熱集熱装置３００側へ接続する系統と、復水器３へ接続する系統に分岐している。リボイラ２６への蒸気源として、蒸気タービンから蒸気を抽気した際に、リボイラ２６を通過する加熱蒸気のドレンを復水器３に回収するためにドレンポンプ出口ブロー弁３４を開けて復水器３にドレンを回収する。
【００２９】
リボイラ加熱蒸気母管６２では、蒸気タービン抽気側配管６１内を流れてきたタービン抽気蒸気と太陽熱集熱装置側配管５８内を流れてきた太陽熱により発生した両者の蒸気を合流させ、リボイラ加熱蒸気母管６２内で混合させ両者の温度を十分に平均化させる。この平均温度をリボイラ加熱蒸気母管６２に設置された温度計であるタービン抽気側と太陽熱側との蒸気合流後蒸気温度検出器４０により検出する。この信号をリボイラ加熱蒸気源切替制御装置１６に送信して合流後の蒸気温度が所定の設定温度になるように蒸気タービン側リボイラ送気流量調整弁３７の調整弁開度をフィードバック信号により開閉する制御を行う。このように、タービン抽気蒸気と太陽熱集熱装置側蒸気を十分に混合することにより、天候の変動によって太陽熱集熱装置側からくる変動しやすい蒸気温度の変動を最小限に抑えることが可能となる。その結果リボイラ２６に常に天気の変動に影響されない、リボイラ２６要求蒸気温度に制御された蒸気をリボイラ蒸気供給制御弁３０を通じてリボイラ２６へ常に供給できる。
【００３０】
従って、本実施例の構成によれば、エネルギーコストが小さい太陽熱エネルギーを活用できるので、蒸気タービンから抽気蒸気を減圧減温して二酸化炭素分離回収装置の再生塔のリボイラへ送気する量を低減でき、蒸気タービンの出力や効率の低下を抑制することができる。また、太陽熱集熱装置からリボイラへ供給する加温蒸気量の変動に係らず、リボイラ発生蒸気温度と圧力の変動を最小限に押さえ込むことが可能で、再生塔内での吸収液から二酸化炭素を加温して分離する反応が安定して進む二酸化炭素分離回収装置を備えた火力発電システムを提供することができる。
【００３１】
なお、本発明は、汽力発電所の代わりにガスタービンを用いた複合発電所のガスタービン排ガスから二酸化炭素を分離し回収する装置にも適用することが可能である。
【符号の説明】
【００３２】
１  ボイラ
２  蒸気タービン
３  復水器
４  ボイラ給水ポンプ
５  循環水取水槽
６  循環水ポンプ
７  循環水排水槽
８  脱硝装置
９  脱硫装置
１０  蒸気タービン抽気配管
１１  給水加熱器
１２  蒸気タービン抽気圧力検出器
１３  リボイラ発生蒸気温度検出器
１４  リボイラ発生蒸気圧力検出器
１５  リボイラ発生蒸気制御装置
１６  リボイラ加熱蒸気源切替制御装置
１７  発電機
１８  蒸気タービン送気蒸気流量計
１９  太陽熱回収蒸気流量計
２０  吸収塔
２１  再生塔
２２  リッチ吸収液循環ポンプ
２３  リッチ対リーン吸収液熱交換器
２４  リーン吸収液循環ポンプ
２５  リーン吸収液冷却器
２６  リボイラ
２７  リクレーマ
２８  再生塔吸収液抜き出し管
２９  リボイラ吸収液蒸発管
３０  リボイラ蒸気供給制御弁
３１  リクレーマ蒸気供給制御弁
３２  ドレンポンプ
３３  ドレンポンプ出口弁
３４  ドレンポンプ出口ブロー弁
３５  蒸気タービン側リボイラ送気配管
３６  蒸気タービン側リボイラ送気配管逆止弁
３７  蒸気タービン側リボイラ送気流量調整弁
３８  蒸気タービン側リボイラ送気止弁
３９  太陽熱回収余剰蒸気逃がし弁
４０  蒸気合流後蒸気温度検出器
４１  リボイラ蒸気供給系統
４２  リクレーマ蒸気供給系統
５０  熱媒体タンク
５１  熱媒体循環ポンプ
５２  太陽熱集熱装置入口管
５３  太陽熱集熱装置入口ヘッダー
５４  太陽熱集熱伝熱管
５５  太陽熱集熱装置出口ヘッダー
５６  太陽熱集熱装置出口管
５７  太陽熱集熱装置出口弁
５８  太陽熱集熱装置側配管
５９  太陽熱集熱装置本体
６０  太陽熱集熱鏡
６１  蒸気タービン抽気側配管
６２  リボイラ加熱蒸気母管
６３  リボイラドレン配菅
６４  リクレーマドレン配菅
６５  ドレンタンク
６６  ドレンポンプ入口配管
【図１】
0005704937.tif 000002
【図２】
0005704937.tif 000003